(57)【要約】      （修正有）【課題】イヤホンやヘッドホンなどのコードを束ねるホルダとしても、前記コードへ装着する単なるアクセサリとしても使用可能なコイルアクセサリを提供する【解決手段】コイルアクセサリ１０は、複数、少なくとも１本のコード４３ｂを通す孔部を備えた螺旋状のコイル線材による弾性構造のコイル部２０と、そのコイル部２０の少なくとも一端に設けて前記孔部へ通したコード４３ｂに対して前記コイル部２０のずれを止める押え部３０と、を備える。  押え部３０は、コイル部２０におけるコイル線材の直径より大きいボール形状としてもよい。【選択図】図２
0003169396.tif 000002
【実用新案登録請求の範囲】
【請求項１】
少なくとも１本のコードを通す孔部を備えた螺旋状のコイル線材による弾性構造のコイル部と、
そのコイル部の少なくとも一端に設けて前記孔部へ通したコードに対して前記コイル部のずれを止める押え部と、
を備えたコイルアクセサリ。
【請求項２】
前記押え部が、コイル部におけるコイル線材の直径より大きいボール形状である請求項１に記載のコイルアクセサリ。
【請求項３】
前記コイル線材が、中心部材と、その中心部材の外周を被覆する外周層と、で構成される請求項１または請求項２に記載のコイルアクセサリ。
【請求項４】
前記コイル線材における中心部材を鎖で構成し、前記外周層を透明樹脂で構成される請求項３に記載のコイルアクセサリ。
【請求項５】
前記コイル線材の表面を装飾した請求項１から請求項４のいずれかに記載のコイルアクセサリ。
【請求項６】
前記押え部の表面を装飾した請求項１から請求項５のいずれかに記載のコイルアクセサリ。
【考案の詳細な説明】
【技術分野】
【０００１】
本考案は、コイル状のアクセサリに関する。たとえば、携帯型ミュージックプレーヤーや携帯電話等に使用されるイヤホンやヘッドホンなどのコードを束ねるホルダとしても、前記コードへ装着する単なるアクセサリとしても使用可能なコイルアクセサリに関する。
【背景技術】
【０００２】
近年、携帯型ミュージックプレーヤーや携帯電話等を使用して音楽を聴くことが広く行なわれている。その場合、周囲に騒音を漏らさないために各種のイヤホンやヘッドホンを用いる。
【０００３】
その際、イヤホンやヘッドホンなどのコードの長さを調整するために、前記コードを束ねるコードホルダが愛用されている。そのコードホルダはツールとしてだけではなくアクセサリとしても機能するように、特許文献１にて工夫されている。
その特許文献１では、『２本のコードがスライド移動可能に挿通される挿通孔を備え、・・・・・前記挿通孔の内周の少なくとも一部が接する柔軟性ある部材により形成されている』と記載されている。また、『柔軟性ある部材としてはラバー等が用いられる』と述べられている。
【０００４】
また、前記コードへ部分的に装身具（アクセサリ）として取付けるコード用アクセサリは、特許文献２にて工夫されている。
その特許文献２では、『・・・イヤホンやヘッドホンのライン部に着脱できる構造を有しており、装飾部材と一体化されている』と記載されている。また、『・・・ライン部への着脱構造が弾性素材に形成した細溝部にライン部を嵌めこむ』と述べられている。
【先行技術文献】
【特許文献】
【０００５】
【特許文献１】実用新案登録第３１０５５３４号公報
【特許文献２】特開２００７−１４２５３８号公報
【考案の概要】
【考案が解決しようとする課題】
【０００６】
特許文献１に開示された技術では、『柔軟性ある部材によってスライド移動可能にしている』ので、そのスライド移動可能にする柔軟性ある部材として用いられる材料は限られる。同じ理由で、装飾性を付与する材料も限られる。また、前記“挿通孔”の大きさは２本のコードをスライド移動可能としているので、そのコードの太さが変わると前記“挿通孔”が緩くなるか、その逆にきつくなる。すなわち、コードの太さが限定的となる。あまりきつい場合は、コードホルダを強くスライドすると、コードに対してダメージを与えるなどの懸念が起きる。
【０００７】
また、２本のコードに限定しているので、例えば１本のコードに対して用いることや、３本以上のコードに対して用いることを考慮していない。つまり、単なるアクセサリとして１本のコードへ装着することは考慮していない。また、長いコードを束ねて短くするために３本以上のコードを束ねることも考慮していない。
また、前記コードホルダは、２本のコードに対して若干の負荷をかけるので、部材自体の押圧力を起こすために厚みが必要である。そのために、コードの太さに比べるとかなり大きなものとなるので見栄えが良くない。
【０００８】
特許文献２に開示された技術では、複数本のコードを束ねるホルダの機能は持っていない。また、ライン部への着脱構造自体を装飾部材とする考えはなく、前記着脱構造へ種々の装飾部材を取り付けることによって、イヤホン・ヘッドホン用アクセサリとしている。
【０００９】
本願考案が解決しようとする課題は、イヤホンやヘッドホンなどのコードを束ねるホルダとしても、前記コードへ装着する単なるアクセサリとしても使用可能なコイルアクセサリを提供することにある。
【課題を解決するための手段】
【００１０】
（第一の考案）
本願における第一の考案は、  少なくとも１本のコード(43)を通す孔部(22)を備えた螺旋状のコイル線材(21)による弾性構造のコイル部(20)と、  そのコイル部(20)の少なくとも一端に設けて前記孔部(22)へ通したコード(43)に対して前記コイル部(20)のずれを止める押え部(30)と、を備えたコイルアクセサリ(10)に係る。
【００１１】
（用語説明）
「弾性構造」とは、コイル線材(21)が螺旋状であるので必然的に弾性を持つのであるが、コイル線材(21)をコード(43)の周りに絡めるように巻いた後に、コイル部(20)の一端に設けた押え部(30)がコード(43)を孔部(22)へ接触させるほどの押圧力を有することを意味している。
【００１２】
（作用）
コイルアクセサリ(10)をコード(43)へ装着するには、コイル部(20)のコイル線材(21)をコード(43)の周りに絡めるように巻く。そのように前記コード(43)がコイル部(20)の孔部(22)へ簡単に通される。すると、押え部(30)がコード(43)をコイル部(20)の孔部(22)へ接触するように押圧するので、コイル部(20)がコード(43)に対してずれにくくなる。前記コード(43)が１本でも複数本でも、コイルアクセサリ(10)が同じ動作で簡単に装着される。
したがって、コイルアクセサリ(10)は、１本のコード(43)へ装着して単なるアクセサリとして用いられる。また、複数本のコード(43)，(43)，・・・を束ねるホルダとしても用いられる。また、コイル部(20)を簡単にスライドさせて１本のコード(43)または複数本のコード(43)，(43)，・・・に対する位置が容易に調整される。
【００１３】
（第一の考案のバリエーション１）
第一の考案は、前記押え部(30)につき、コイル部(20)におけるコイル線材(21)の直径より大きいボール形状としてもよい。
【００１４】
（作用）
コイル線材(21)の直径より大きいボール形状の押え部(30)は、簡単な構造であるが、コイル部(20)の孔部(22)へ通したコード(43)を孔部(22)へ接触するように確実に押圧して、前記コイル部(20)のずれを止める働きをする。
【００１５】
（第一の考案のバリエーション２）
第一の考案は、前記コイル線材(21)が、中心部材(23)と、その中心部材(23)の外周を被覆する外周層(24)と、で構成されることとしてもよい。
【００１６】
（作用）
コイル線材(21)が中心部材(23)と外周層(24)との二重構造である場合、例えば中心部材(23)を装飾部材とし、外周層(24)を透明部材とすることによって、高級感のある装飾品として用いられる。
【００１７】
（第一の考案のバリエーション３）
第一の考案は、前記コイル線材(21)における中心部材(23)を鎖で構成し、前記外周層(24)を透明樹脂で構成されることとしてもよい。
【００１８】
（作用）
中心部材(23)を鎖とするなら高級感のある装飾部材となり、外周層(24)を透明樹脂とすることによって、前記の鎖の装飾部材に対してより高級感を付与することになる。
【００１９】
（第一の考案のバリエーション４）
第一の考案は、前記コイル線材(21)の表面を装飾してもよい。
【００２０】
（作用）
コイル線材(21)の表面を、例えば彫刻やメッキなどで装飾することによっても、アクセサリとしての機能が向上する。
【００２１】
（第一の考案のバリエーション５）
第一の考案は、前記押え部(30)の表面を装飾してもよい。
【００２２】
（作用）
押え部(30)の表面を、例えば彫刻やメッキなどで装飾することによっても、アクセサリとしての機能が向上する。
【考案の効果】
【００２３】
第一の考案によれば、イヤホンやヘッドホンなどのコードを束ねるホルダとしても、前記コードへ装着する単なるアクセサリとしても使用可能なコイルアクセサリを提供することができた。
【図面の簡単な説明】
【００２４】
【図１】本考案の実施形態に係るコイルアクセサリをイヤホンのコードへ装着し、そのイヤホンを人が使用するときの一例を示す概略説明図である。
【図２】コイルアクセサリがイヤホンのコードへアクセサリとして装着された状態を示す概略説明図である。
【図３】コイルアクセサリの全体を概略的に示す斜視図である。
【図４】図１においてコイルアクセサリを、イヤホンのコードへアクセサリとして装着した状態と、２本のコードを束ねるコード用ホルダとして装着した状態を拡大した概略説明図である。
【図５】図１においてコイルアクセサリを、イヤホンのコードの長さを調整するために前記コードを束ねた状態を拡大した概略説明図である。
【図６】コイルアクセサリに対して他のアクセサリを取り付けたときの一例を示す概略説明図である。
【図７】図７（ａ）は一つの材料にて構成されたコイルアクセサリの断面図で、図７（ｂ）は中心部材と、その中心部材の外周を覆う外周層との二重構造を示すコイルアクセサリの断面図である。
【図８】コイルアクセサリの表面にデザインを施したときの一例を示す概略説明図である。
【考案を実施するための形態】
【００２５】
以下、本考案の実施形態に係るコイルアクセサリについて図面を参照して説明する。ここで使用する図面は、図１から図８である。
【００２６】
図１では、本実施形態に係るコイルアクセサリ１０は、例えば音楽等の再生装置５０である携帯型ミュージックプレーヤーや携帯電話５１等で使用されるヘッドホンやイヤホン４０のコード４３を束ねるホルダとして使用されるとともに、前記コード４３に対するアクセサリとして使用される状態を示している。
イヤホン４０は一般的に使用者の両耳へ装着される。例えば携帯電話５１からの音声を発生する一対のイヤホン本体４１，４１と、前記携帯電話５１へ接続するプラグ４２と、そのプラグ４２と前記の一対のイヤホン本体４１，４１とを接続するコード４３と、を備えている。
前記コード４３は、前記プラグ４２へ接続した１本のメインコード４３ａが例えば手元ボリュームスイッチ４４を経て分岐部４５へ接続される。さらに、その分岐部４５から２本の分岐コード４３ｂ，４３ｂに分岐され、各分岐コード４３ｂ，４３ｂが一対のイヤホン本体４１，４１へ接続される。
【００２７】
イヤホン４０のメインコード４３ａは一般的に長すぎるため、その途中で束ねて使用することが多い。その際に本実施形態のコイルアクセサリ１０が前記メインコード４３ａを束ねるホルダとして使用される。
【００２８】
使用者の両耳へ装着された一対のイヤホン本体４１，４１の２本の分岐コード４３ｂ，４３ｂは、分岐部４５までの長さが長いために、使用者が歩くたびにブラブラと揺れてしまうので煩わしさが生じる。その煩わしさを解消するために、本実施形態のコイルアクセサリ１０が２本の分岐コード４３ｂ，４３ｂを途中で束ねるホルダとして使用される。そのコイルアクセサリ１０から一対のイヤホン本体４１，４１までの２本の分岐コード４３ｂ，４３ｂの長さが短くなるので、上述した揺れが気にならないほど小さくなる。
【００２９】
コイルアクセサリ１０は、各イヤホン本体４１，４１の近くに位置して各分岐コード４３ｂ，４３ｂへ装着することによって、単なるアクセサリとして機能することとなる。図２はその拡大図である。
【００３０】
図３は、本実施形態に係るコイルアクセサリ１０の全体を概略的に示す。すなわち、コイルアクセサリ１０は、弾性構造のコイル部２０と、そのコイル部２０のずれを止める押え部３０と、を備えている。
【００３１】
前記コイル部２０は、少なくとも１本のコード４３を通す孔部２２を備えた螺旋状のコイル線材２１の弾性構造である。前記孔部２２が１本のコード４３を通すだけの大きさであっても、弾性構造であるので複数本のコード４３を容易に通すことが可能である。しかし、前記孔部２２がその用途に応じた複数本のコード４３を通す大きさであっても良い。
【００３２】
本実施形態では、前記コイル部２０は、ポリウレタンの樹脂材料のコイル線材２１を用いて、例えば外径を約７ｍｍとし、その全長を約２０ｍｍとしている。そのポリウレタンのコイル部２０は弾性構造であるので、前記コイル線材２１をコード４３の周りに絡めるようにして前記コード４３をコイル部２０の孔部２２へ簡単に通すことができる。
【００３３】
前記押え部３０は、前記コイル部２０の少なくとも一端に一体的に設けている。すなわち、前記押え部３０は、前記コイル部２０の一端だけに設けても、あるいは前記コイル部２０の両端に設けてもよい。その機能は、前記コイル部２０の孔部２２へ通したコード４３に対して前記コイル部２０のずれを止めるものである。それに加えて、アクセサリを兼ねてもよい。
【００３４】
本実施形態では前記コイル部２０におけるコイル線材２１の両端に押え部３０，３０を一体的に固定している。各押え部３０，３０は、コイル線材２１の直径より大きいボール形状である。  そのボール形状の押え部３０は、前記コイル部２０の孔部２２へ通したコード４３を孔部２２へ接触するように押圧して、前記コード４３に対して前記コイル部２０のずれを止める働きをする。
【００３５】
本実施形態では前記ボール形状の押え部３０としてＡＢＳ樹脂の材料を用いており、その表面にメッキを施している。しかし、押え部３０は他の樹脂でもよく、また、樹脂でない他の材料でもよい。
メッキを施すことによって、防食を兼ねて装飾となるという利点はあるが、必ずしもメッキしなくてもよい。さらには、装飾はメッキでなくても、図柄や模様の彫刻のように他の装飾でもよい。
【００３６】
なお、前記押え部３０は、コイル線材２１の直径より大きくなくても、また、ボール形状でなくてもよい。例えば前記コイル部２０の孔部２２へ向けた突起形状とすることができる。その突起形状の押え部３０は、前記コイル部２０の孔部２２へ通したコード４３を孔部２２へ接触するように押圧して、前記コード４３に対して前記コイル部２０のずれを止めることとなる。
【００３７】
コイル線材２１の直径より大きいボール形状とするメリットは、例えば前記突起形状のように向きを設定する必要がなく、コイル線材２１の若干のねじれによって突起形状の向きが変わるという不具合が起きない。その理由で、前記押え部３０はボール形状とすることが望ましい。
【００３８】
次に、上記の構成のコイルアクセサリ１０を用いてコード４３に装着する動作を説明する。
図２および図４では、コイルアクセサリ１０，１０が一対の各イヤホン本体４１，４１の近くに位置して各分岐コード４３ｂ，４３ｂへ装着された状態を示している。
一つのコイルアクセサリ１０を１本の分岐コード４３ｂへ装着する動作を説明する。コイルアクセサリ１０は、コイル部２０のコイル線材２１を分岐コード４３ｂの周りに絡めるように巻く。その結果、前記の１本の分岐コード４３ｂがコイル部２０の孔部２２へ簡単に通される。すると、両端のボール形状の押え部３０，３０が分岐コード４３ｂをコイル部２０の孔部２２へ接触するように押圧するので、コイル部２０が分岐コード４３ｂに対してずれにくくなる。
【００３９】
なお、前記押え部３０におけるボール形状の大きさは、指でスライド可能な弱い力で分岐コード４３ｂを押圧するように予め設定しておく。それによって、使用者が前記コイル部２０を指でつまんで簡単にスライドさせて、コイルアクセサリ１０の位置を容易に調整することができる。しかも、上記の弱い力ではスライドさせても分岐コード４３ｂを傷めることがない。
【００４０】
以上のように、一対の各イヤホン本体４１，４１の近くへ装着した各コイルアクセサリ１０，１０は、両耳の近くに位置してアクセサリとして機能する。
また、本実施形態のコイルアクセサリ１０は、前述したようにコイル部２０がポリウレタンの材料で、その両端のボール形状の押え部３０がＡＢＳ樹脂である場合、約０．５ｇの重量となり、軽いので使用者にとって身体的な負担にならない。
【００４１】
次に、コイルアクセサリ１０が２本の分岐コード４３ｂ，４３ｂを途中で束ねるホルダとして使用されるときの動作について説明する。
図４はコイルアクセサリ１０を装着した状態を示している。  基本的には、前述したように１本の分岐コード４３ｂへコイルアクセサリ１０を装着する動作と同様である。
【００４２】
コイルアクセサリ１０は、コイル部２０のコイル線材２１を２本の分岐コード４３ｂ，４３ｂの周りに絡めるように巻く。その結果、前記の２本の分岐コード４３ｂ，４３ｂが前記コイル部２０の孔部２２へ簡単に通される。  すると、両端のボール形状の押え部３０，３０が２本の分岐コード４３ｂ，４３ｂを前記コイル部２０の孔部２２へ接触するように押圧する。それによってコイルアクセサリ１０が２本の分岐コード４３ｂ，４３ｂに対してずれにくくなる。
【００４３】
コイルアクセサリ１０にて２本の分岐コード４３ｂ，４３ｂを束ねると、前記コイルアクセサリ１０から一対のイヤホン本体４１，４１までの各分岐コード４３ｂ，４３ｂの長さが短くなるので、使用者が歩く時に生じる各分岐コード４３ｂ，４３ｂの揺れを小さくできる。また、コイルアクセサリ１０は簡単にスライドさせて位置を容易に調整することができる。
【００４４】
次に、コイルアクセサリ１０がイヤホン４０の長いメインコード４３ａを短くするために、前記メインコード４３ａを束ねるホルダとして使用されるときの動作について説明する。
図５はコイルアクセサリ１０にてメインコード４３ａを束ねた状態を示している。  基本的には、前述したように２本の分岐コード４３ｂ，４３ｂへコイルアクセサリ１０を装着する動作と同様である。
すなわち、コイルアクセサリ１０は、コイル部２０のコイル線材２１を複数本に束ねたメインコード４３ａ，４３ａ，・・・の周りに絡めるように巻く。その結果、複数本のメインコード４３ａ，４３ａ，・・・が前記コイル部２０の孔部２２へ簡単に通される。そのようにして、コイルアクセサリ１０が長いメインコード４３ａを複数本に束ねて短くするホルダとして機能する。
【００４５】
本実施形態のコイルアクセサリ１０は、図６に示すように、ペンダント等の装身具６０（アクセサリ）を取り付けることができる。アクセサリとしての全体の機能が向上する。
【００４６】
本実施形態のコイルアクセサリ１０は、図７（ａ）に示すように、コイル線材２１を一つの材料にて構成することができる。その材料として例えばカラーのクリアウレタン樹脂を使用した場合、その装飾性が向上する。
【００４７】
コイル線材２１に蛍光樹脂、蓄光塗料などを練りこむ場合もある。この場合、暗い場所で発光したり、僅かな光に反射をしたりすることとなる。そのため、夜間や暗い場所での歩行時、ジョギング時の安全性の向上に寄与する。
【００４８】
図７（ｂ）に示すように、コイル線材２１は、中心部材２３と、その中心部材２３の外周を覆う外周層２４との二重構造とすることができる。その一例として、前記中心部材２３を例えば真鍮の鎖などの装飾部材で構成し、前記外周層２４を例えばクリアウレタンの透明樹脂などの透明部材で構成する。そのようなコイル線材２１は高級感が出てくるので、より高級装飾品として用いられる。なお、前記の中心部材２３および外周層２４のそれぞれの材質は、特に限定されない。
【００４９】
本実施形態のコイルアクセサリ１０は、図８に示すように、コイル線材２１の表面に彫刻２５の装飾を施すことができる。その装飾方法としては彫刻２５に限らず、メッキなどの他の装飾でもよい。図８では、コイルアクセサリ１０が図７（ｂ）のように中心部材２３と外周層２４との二重構造であって、それに加えて前記外周層２４の表面に彫刻２５の装飾を施している。
なお、本実施形態のコイルアクセサリ１０に対してアクセサリとしての機能を付与する装飾方法には、前述した装飾方法に限定されない。
【産業上の利用可能性】
【００５０】
本考案は、イヤホンの製造業、アクセサリの製造業、音楽再生プレーヤの製造業などにおいて、利用可能性を有する。
【符号の説明】
【００５１】
１０  コイルアクセサリ
２０  コイル部                 ２１  コイル線材
２２  孔部                     ２３  中心部材
２４  外周層                   ２５  彫刻
３０  押え部
４０  イヤホン                 ４１  イヤホン本体
４２  プラグ                   ４３  コード
４３ａ  メインコード           ４３ｂ  分岐コード
４４  手元ボリュームスイッチ   ４５  分岐部
５０  再生装置                 ５１  携帯電話
６０  装身具
【図１】
0003169396.tif 000003
【図２】
0003169396.tif 000004
【図３】
0003169396.tif 000005
【図４】
0003169396.tif 000006
【図５】
0003169396.tif 000007
【図６】
0003169396.tif 000008
【図７】
0003169396.tif 000009
【図８】
0003169396.tif 000010